(57)【特許請求の範囲】
【請求項１】
ユーザが複数の候補対象物のうちのいずれかを標的対象物として選択し、かつ、その標的対象物の利用権限を有することを条件にユーザにチケットを発行する発券システムであって、
ユーザの通信端末と、
前記複数の候補対象物にそれぞれ設置された複数の発券機と、
それら発券機との間で通信可能であるとともにユーザの通信端末との間でも通信可能である管理サーバと
を含み、
ユーザが、前記通信端末上で前記複数の候補対象物のうちのいずれかを前記標的対象物として選択し、かつ、その標的対象物の利用権限を獲得するために必要な行為を、前記通信端末を介し、前記管理サーバに対してオンラインで行うと、その管理サーバが、ユーザが前記利用権限を有することを表す認証コードであってユーザに固有のものを生成し、その生成された認証コードを前記通信端末に送信し、
ユーザが、前記通信端末が前記管理サーバから受信した認証コードを、前記複数の発券機のうち前記標的対象物に設置されている標的発券機に入力し、
その標的発券機に入力された認証コードと、前記管理サーバにおいて生成された認証コードとが互いに一致することを条件に、前記標的発券機は、チケットをユーザにオフラインで発行し、
前記通信端末は、自身の現在位置を測定し、その測定された現在位置が、前記標的対象物または前記標的発券機から所定距離の範囲内にある場合に、前記認証コードを画面上に表示する発券システム。
【請求項２】
前記必要な行為は、前記標的対象物に関連付けて、ユーザが料金を電子決済によって前払いする行為を含む請求項１に記載の発券システム。
【請求項３】
前記対象物は、交通機関、駐車場または観客収容施設を含む請求項１または２に記載の発券システム。
【請求項４】
前記対象物は、飲食店、公共施設、宿泊施設またはロッカー・ルームを含む請求項１または２に記載の発券システム。
【請求項５】
前記通信端末の画面上に表示された認証コードは、ユーザによって読み取られて前記標的発券機に入力される請求項１ないし４のいずれかに記載の発券システム。
【請求項６】
前記通信端末は、ユーザによって携帯される携帯通信端末である請求項１ないし５のいずれかに記載の発券システム。
【請求項７】
前記通信端末は、ユーザが乗車する車両に搭載される車載通信端末である請求項１ないし５のいずれかに記載の発券システム。
【請求項８】
前記認証コードは、一度使用されると失効するワンタイムパスワードまたは所定時間が経過すると失効する時限パスワードとして構成される請求項１ないし７のいずれかに記載の発券システム。
【請求項９】
前記認証コードは、イメージ・リーダーを用いないと解読できない１次元バーコードもしくは２次元バーコードとして構成されるか、またはイメージ・リーダーを用いなくても解読できる数字列、英字列もしくは英数字列として構成される請求項１ないし８のいずれかに記載の発券システム。
【請求項１０】
請求項１ないし９のいずれかに記載の通信端末としてコンピュータを機能させるプログラム。
【請求項１１】
請求項１ないし９のいずれかに記載の管理サーバとしてコンピュータを機能させるプログラム。
【請求項１２】
請求項１０または１１に記載のプログラムをコンピュータ読み取り可能に記録した記録媒体。
【発明の詳細な説明】
【技術分野】
【０００１】
本発明は、対象物の利用権限をユーザが有することを条件に前記対象物の位置においてユーザにチケットを発行する技術に関するものである。
【背景技術】
【０００２】
対象物（例えば、不動産、不動産に定着した建物、動産）の利用権限をユーザが有することを条件に前記対象物の位置においてユーザにチケットを発行する技術、すなわち、前記対象物の位置に居るユーザにチケットを発行する技術が既に存在する。
【０００３】
ここに、「対象物」としては、例えば、公共交通機関（例えば、列車、バス、飛行機など）の停車場（例えば、駅、バス停、空港など）または公共交通機関内の各座席がある。さらに、駐車場（駐輪場を含む。）または駐車場内の各車室もある。さらに、観客収容施設もある。ここに、「観客収容施設」としては、例えば、コンサート・ホールまたはそれの各座席、野球場またはそれの各座席、映画館またはそれの各座席などがあるが、これらに限定されない。
【０００４】
「対象物」としては、さらに、飲食店または飲食店内の各テーブルもある。さらに、図書館などの公共施設またはそれの各座席もある。さらに、宿泊施設（例えば、ホテルまたはそれの各部屋、旅館またはそれの各部屋、民泊（住宅宿泊）のための居宅またはそれの各部屋）もある。さらに、ロッカー・ルーム、ロッカー・ルーム内の各ロッカーまたは各ロッカー内の各個室などがあるが、これらに限定されない。
【０００５】
ここに、「チケット」という用語は、広義に解釈され、例えば、一定の権限を有することを示す証拠（例えば、代金支払い済みの証拠）となる物体であり、入場券、乗車券、食券、駐車券、切符、カード、トークン、許可証などと称されることもある。
【０００６】
また、対象物の利用権限を獲得するために、ユーザが料金を支払うことを条件とする場合もあれば、ユーザが料金を支払うことを条件とはしない場合もある。後者の場合、対象物の利用権限を獲得するための他の条件として、例えば、ユーザが特定の場所に住んでいるという条件、ユーザが特定の事業体に関係しているという条件、ユーザが特定のクラブ、協会または団体の会員であるという条件、ユーザが特定の資格（例えば、ユーザが、対象物にとっての隣接店舗で所定額以上の買い物をすることによって取得される資格）を有するという条件などがあるが、これらに限定されない。
【０００７】
対象物の一例として駐車場があり、以下、駐車場を例にとり、具体的に検討する。
【０００８】
車両のための複数の駐車位置（駐車スペース、車室など）を有する駐車場が既に広く普及している。この種の駐車場は、駐車位置への車両の搬送方式の観点で分類すると、ユーザが自ら車両を運転して駐車位置に搬送する方式と、パレットやケージを機械的に移動させて車両を機械的に駐車位置に搬送する機械式とに分類される。また、その駐車場は、ユーザに無料で貸される場合もあれば、有料で貸される場合もある。有料駐車場は、ユーザに貸す時間の長さという観点で分類すれば、月極めと、時間貸し（「日貸し」を含む。）とに分類される。
【０００９】
時間貸し駐車場は、駐車料金の支払い方式という観点で分類すれば、駐車開始に先立ってユーザが駐車料金を支払う前払い式（ただし、出庫時に、駐車料金の不足分を支払う可能性を含む。）と、駐車終了時にユーザが駐車料金を支払う後払い式とに分類される。
【００１０】
前払い式の場合には、駐車に先立ち、ユーザが、駐車時間の長さすなわち駐車料金の額を選択するため、駐車場内の設備であるか駐車場外の設備であるかを問わず、それら設備が駐車料金の額を計算する料金計算機能を有することは不可欠ではない。
【００１１】
これに対し、後払い式の場合には、駐車が終了したときにはじめて、駐車時間の長さすなわち駐車料金の額が決まるため、駐車場内の設備および／または駐車場外の設備（または、ユーザの端末）が駐車時間の長さを計算して駐車料金の額を計算する料金計算機能を有することが必要となる。
【００１２】
また、前払い式の場合であっても、ユーザの実際の駐車時間の長さが、最初に選択した駐車時間の長さ、すなわち、ユーザが前払いした駐車料金の額に見合う有効駐車時間の長さを超える場合には、ユーザは、その超過分の長さに見合う額の追加駐車料金を後払いすることが必要となる。
【００１３】
そのため、そのような追加駐車料金の後払いに対応可能とするために、前払い式の場合であっても、駐車場内の設備および／または駐車場外の設備（または、ユーザの端末）が駐車時間の長さを計算して駐車料金の額を計算する料金計算機能を有することが必要となる。
【００１４】
このような背景を有する駐車場においては、駐車場の利用権限をユーザが有することを条件に前記駐車場の位置においてユーザにチケットを発行する駐車場用発券システムが使用される。
【００１５】
この駐車場用発券システムは、有料かつ前払い駐車場については、例えば、ユーザが駐車場に関連付けて駐車料金を前払いすることを条件に前記駐車場の位置においてユーザにチケットを発行する駐車場用発券システムとして具体化される可能性がある。
【００１６】
特許文献１−６には、駐車場内に設置された場内設備（例えば、精算機、駐車場端末など）と、駐車場外に設置された場外設備（例えば、サーバ、中央端末など）と、ユーザの端末（例えば、携帯通信端末など）とをそれぞれハードウエア資源として用いて駐車場を管理する技術が開示されている。
【００１７】
それら６件の特許文献のうち、特許文献６には、駐車場の利用権限を有するユーザの通信端末に管理サーバがパスワードを送信し、そのパスワードを通信端末から管理サーバに送信することにより、ユーザが駐車場の利用権限を有するか否かを管理サーバが判定する技術が開示されている。
【００１８】
しかし、それら６件の特許文献はいずれも、駐車場の利用権限を有するユーザにその駐車場の位置において物理的な媒体としてのチケットを発行する点を開示していない。
【００１９】
また、特許文献７は、自動改札装置の制御部が、予約サーバから受信した情報に基づき、入場の許否を判定する技術を開示し、さらに、予約サーバが予約の有無に関する情報（例えば、ＱＲコード（登録商標））を自動改札装置に送信し、その情報をもとに、自動改札装置の制御部が入場の許否を判定する技術を開示している。
【先行技術文献】
【特許文献】
【００２０】
【特許文献１】特開２０１７−１０２４０号公報
【特許文献２】特開２０１３−１１４４３４号公報
【特許文献３】特開２００３−２５６５８７号公報
【特許文献４】特開２００３−１３２３８０号公報
【特許文献５】特開２０１９−１３３７１０号公報
【特許文献６】特開２０１８−１６３６３４号公報
【特許文献７】特開２００７−２５７１８５号公報
【発明の概要】
【発明が解決しようとする課題】
【００２１】
ユーザによる対象物の利用が行われる現場においてユーザに物理的なチケットを発行するという発券方法は、ユーザが自身の携帯端末自体を物理的なチケットまたは許可証の代替物として使用したり、ユーザが携帯端末上での仮想的なチケットまたは許可証を使用するという商行為が普及する社会にあっては、いささか古典的に見えるかもしれない。
【００２２】
しかし、発券というステージおよびユーザによるチケットの受領というステージに関し、前記対象物を提供、管理または運営する事業体が、携帯端末を有しないか有していてもその使用に不慣れなユーザにも漏れなく対応しようとすることは、すべてのユーザの利便性の向上につながる。
【００２３】
よって、上述の発券方法を存置することは少なくとも公益的観点から望ましい。
【００２４】
一方、ユーザが対象物を利用する権限を獲得するために、ユーザが特定の行為、例えば、対価を支払うという行為を要求されるのが通常である。そして、その特定の行為が、ユーザによる対象物の利用が行われる現場にある設備に対してではなく、その現場とは別の場所にある設備に対して、ユーザが携帯端末などの通信端末を介して行われる場合がある。
【００２５】
この場合、ユーザが特定の行為を行ったという事実、すなわち、原因行為の成立を契機として、現場において発券を行うべきところ、原因行為が成立したという事実を正しく現場に伝えることが必要である。
【００２６】
さらに、原因行為が成立したという事実が偽造されることを防止する対策を講じることが、当該システムの信頼性を高めるために重要である。
【００２７】
以上説明した事情を背景とし、本発明は、対象物の利用権限をユーザが有することを条件に前記対象物の位置においてユーザにチケットを発行する技術であって、チケットを受領する権限を有しない者にチケットが不正に発行されることを抑止し、それにより、不正行為に対する当該システムの耐性を向上させるものを提供することを課題としてなされたものである。
【課題を解決するための手段】
【００２８】
その課題を解決するために、本発明の一側面によれば、ユーザが複数の候補対象物のうちのいずれかを標的対象物として選択し、かつ、その標的対象物の利用権限を有することを条件にユーザにチケットを発行する発券システムであって、
ユーザの通信端末と、
前記複数の候補対象物にそれぞれ設置された複数の発券機と、
それら発券機との間で通信可能であるとともにユーザの通信端末との間でも通信可能である管理サーバと
を含み、
ユーザが、前記通信端末上で前記複数の候補対象物のうちのいずれかを前記標的対象物として選択し、かつ、その標的対象物の利用権限を獲得するために必要な行為を、前記通信端末を介し、前記管理サーバに対してオンラインで行うと、その管理サーバが、ユーザが前記利用権限を有することを表す認証コードであってユーザに固有のものを生成し、その生成された認証コードを前記通信端末に送信し、
ユーザが、前記通信端末が前記管理サーバから受信した認証コードを、前記複数の発券機のうち前記標的対象物に設置されている標的発券機に入力し、
その標的発券機に入力された認証コードと、前記管理サーバにおいて生成された認証コードとが互いに一致することを条件に、前記標的発券機は、チケットをユーザにオフラインで発行し、
前記通信端末は、自身の現在位置を測定し、その測定された現在位置が、前記標的対象物または前記標的発券機から所定距離の範囲内にある場合に、前記認証コードを画面上に表示する発券システムが提供される。
【００２９】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００３０】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００３１】
（１）  駐車場の利用権限をユーザが有することを条件に前記駐車場の位置においてユーザにチケットを発行する駐車場用発券システムであって、
複数の駐車場にそれぞれ設置される複数の発券機と、
それら発券機との間で通信可能であるとともにユーザの通信端末との間でも通信可能である管理サーバと
を含み、
ユーザが、前記通信端末上で複数の駐車場のうちのいずれかを標的駐車場として選択し、かつ、その標的駐車場につき、それの利用権限を獲得するために必要な行為を、前記通信端末を介し、前記管理サーバに対してオンラインで行うと、その管理サーバが、ユーザが前記利用権限を有することを表す認証コードであってユーザに固有のものを、前記通信端末と、前記標的駐車場に設置されている標的発券機とにそれぞれ送信し、
その標的発券機は、ユーザから入力された認証コードと、前記管理サーバから受信した認証コードとが互いに一致することを条件に、前記チケットをユーザにオフラインで発行する駐車場用発券システム。
【００３２】
（２）  前記必要な行為は、前記標的駐車場に関連付けて、ユーザが駐車料金を電子決済によって前払いする行為を含む（１）項に記載の駐車場用発券システム。
【００３３】
（３）  ユーザが駐車場に関連付けて駐車料金を前払いすることを条件に前記駐車場の位置においてユーザにチケットを発行する駐車場用発券システムであって、
複数の駐車場にそれぞれ設置され、それ単独では電子決済には対応できないが非電子決済には対応できる決済機能と、電子決済であるか非電子決済であるかを問わず前記駐車料金がユーザによって支払われると前記チケットを発行する発券機能と、通信機能とを有する発券機と、
その発券機との間で通信可能であるとともにユーザの通信端末との間でも通信可能である管理サーバであって、前記複数の駐車場にとっての遠隔地に設置されるものと
を含み、
ユーザが、前記通信端末上で複数の駐車場のうちのいずれかを標的駐車場として選択し、かつ、その標的駐車場につき、前記電子決済による前記駐車料金の支払いを、前記通信端末を介し、前記管理サーバに対してオンラインで行うと、その管理サーバが、ユーザに固有の認証コードを、前記通信端末と、前記標的駐車場に設置されている標的発券機とにそれぞれ送信し、
その標的発券機は、ユーザから入力された認証コードと、前記管理サーバから受信した認証コードとが互いに一致することを条件に、前記チケットをユーザにオフラインで発行する駐車場用発券システム。
【００３４】
（４）  前記通信端末は、前記認証コードを画面上に表示し、その表示された認証コードは、ユーザによって読み取られて前記標的発券機に入力される（１）ないし（３）項のいずれかに記載の駐車場用発券システム。
【００３５】
（５）  前記通信端末は、自身の現在位置を測定する測位部を有し、その測位部によって測定された現在位置と前記標的駐車場の位置とが互いに実質的に一致することを条件に、前記認証コードを前記画面上に表示する（４）項に記載の駐車場用発券システム。
【００３６】
（６）  前記発券機は、前記通信端末との距離が設定距離以内であることを条件に前記通信端末との間で近距離無線通信を行う通信デバイスであって、前記通信端末が前記認証コードを送信するとその認証コードを近距離無線通信方式で受信するものを含む（１）ないし（３）項のいずれかに記載の駐車場用発券システム。
【００３７】
（７）  前記通信端末は、ユーザによって携帯される携帯通信端末である（１）ないし（６）項のいずれかに記載の駐車場用発券システム。
【００３８】
（８）  前記通信端末は、ユーザが乗車して各駐車場に駐車される車両に搭載される車載通信端末である（１）ないし（６）項のいずれかに記載の駐車場用発券システム。
【００３９】
（９）  前記認証コードは、一度使用されると失効するワンタイムパスワードまたは所定時間が経過すると失効する時限パスワードとして構成される（１）ないし（８）項のいずれかに記載の駐車場用発券システム。
【００４０】
（１０）  前記認証コードは、イメージ・リーダーを用いないと解読できない１次元バーコードもしくは２次元バーコードとして構成されるか、またはイメージ・リーダーを用いなくても解読できる数字列、英字列もしくは英数字列として構成される（１）ないし（９）項のいずれかに記載の駐車場用発券システム。
【００４１】
（１１）  （１）ないし（１）項のいずれかに記載の通信端末としてコンピュータを機能させるプログラム。
【００４２】
本明細書の全体を通じて、「プログラム」という用語は、例えば、それの機能を果たすためにコンピュータにより実行される指令の組合せを意味するように解釈したり、それら指令の組合せのみならず、各指令に従って処理されるファイルやデータをも含むように解釈することが可能であるが、それらに限定されない。
【００４３】
また、このプログラムは、それ単独でコンピュータにより実行されることにより、所期の目的を達するものとしたり、他のプログラムと共にコンピュータにより実行されることにより、所期の目的を達するものとすることができるが、それらに限定されない。後者の場合、本項に係るプログラムは、データを主体とするものとすることができるが、それに限定されない。
【００４４】
（１２）  （１０）または（１１）項に記載のプログラムをコンピュータ読み取り可能に記録した記録媒体。
【００４５】
本明細書の全体を通じて、「記録媒体」という用語は、種々な形式の記録媒体を意味するように解釈することが可能であり、そのような記録媒体は、例えば、フレキシブル・ディスク等の磁気記録媒体、ＣＤ、ＣＤ−ＲＯＭ等の光記録媒体、ＭＯ等の光磁気記録媒体、ＲＯＭ等のアンリムーバブル・ストレージ等を含むが、それらに限定されない。
【００４６】
（１３）  前払い式の駐車場に関連付けて駐車料金をユーザが前払いすることを条件に前記駐車場の位置においてユーザにチケットを発行する駐車場用発券システムであって、
複数の駐車場にそれぞれ設置され、それ単独では電子決済には対応できないが現金決済またはプリペイドカード決済を含む非電子決済には対応できる決済機能と、電子決済であるか非電子決済であるかを問わず前記駐車料金がユーザによって支払われると前記チケットを発行する発券機能と、通信機能とを有する発券機と、
その発券機との間で通信可能であるとともにユーザの通信端末との間でも通信可能である管理サーバであって、前記複数の駐車場にとっての遠隔地に設置されるものと
を含み、
ユーザが、前記通信端末上で複数の駐車場のうちのいずれかを標的駐車場として選択し、かつ、その標的駐車場につき、前記電子決済による前記駐車料金の支払いを、前記通信端末を介し、前記管理サーバに対してオンラインで行うと、その管理サーバが、ユーザに固有の認証コードを、前記通信端末と、前記標的駐車場に設置されている標的発券機とにそれぞれ送信し、
その標的発券機は、ユーザから入力された認証コードと、前記管理サーバから受信した認証コードとが互いに一致することを条件に、前記チケットをユーザにオフラインで発行する駐車場用発券システム。
【００４７】
（１４）  前記通信端末は、前記複数の駐車場のうち、ユーザの現在位置の近傍にある複数の候補駐車場を画面上に表示し、
それら候補駐車場のうちのいずれかが標的駐車場としてユーザによって選択されると、前記管理サーバは、複数種類の駐車条件を前記通信端末の画面上に表示するための駐車条件データと、複数種類の決済方式であって電子決済に属するものを含むものを前記通信端末の画面上に表示するための決済方式データとを前記通信端末に送信し、
その管理サーバは、ユーザが、前記通信端末の画面上で、前記複数種類の駐車条件のうちのいずれかと前記複数種類の決済方式のうちのいずれかであって前記電子決済に属するものとを選択すると、前記選択された駐車条件に見合う額の駐車料金を電子決済によって決済し、その後、ユーザに固有の認証コードを前記通信端末と前記標的発券機とに送信し、
前記発券機は、複数種類の決済方式であって電子決済に属するものと非電子決済に属するものとを含むもののうちのいずれかをユーザが選択することを可能にし、
ユーザが、駐車料金を電子決済するために、前記発券機において、前記電子決済に属する決済方式を選択し、かつ、前記認証コードを入力すると、前記発券機は、前記管理サーバとの通信により、その入力された認証コードの真正性を判定し、真正性が認証されれば、ユーザにチケットを発行する（１３）項に記載の駐車場用発券システム。
【００４８】
（１５）  ユーザが複数の候補対象物のうちのいずれかを標的対象物として選択し、かつ、その標的対象物の利用権限を有することを条件にユーザにチケットを発行する発券システムであって、
ユーザの通信端末と、
前記複数の候補対象物にそれぞれ設置された複数の発券機と、
それら発券機との間で通信可能であるとともにユーザの通信端末との間でも通信可能である管理サーバと
を含み、
ユーザが、前記通信端末上で前記複数の候補対象物のうちのいずれかを前記標的対象物として選択し、かつ、その標的対象物の利用権限を獲得するために必要な行為を、前記通信端末を介し、前記管理サーバに対してオンラインで行うと、その管理サーバが、ユーザが前記利用権限を有することを表す認証コードであってユーザに固有のものを、前記通信端末と、前記標的対象物に設置されている標的発券機とにそれぞれ送信し、
その標的発券機は、ユーザから入力された認証コードと、前記管理サーバから受信した認証コードとが互いに一致することを条件に、チケットをユーザにオフラインで発行する発券システム。
【発明の効果】
【００４９】
本発明によれば、ユーザは、対象物の利用権限を有することを条件に、その対象物の位置においてチケットを受領できる。
【００５０】
したがって、本発明によれば、ユーザが、対象物の利用が必要であるときに、対象物を利用することが可能となる。
【００５１】
さらに、本発明によれば、ある態様によれば、ユーザ全員がチケットレス化という利便性を享受することが可能であり、また、別の態様によれば、ユーザ全員に差別なく、物理的な媒体としてのチケットが発行され、ユーザ全員が差別なく統一的にチケットの使用を強制される。
【００５２】
さらに、本発明によれば、対象物に設置されている設備が電子決済に対応できない場合であっても、ユーザは、自身が通信端末を携帯することを条件に、対象物の利用料金を電子決済すなわちオンライン決済によって支払うことが可能となる。その結果、ユーザの利便性が向上し、さらに、キャッシュレス社会の普及にも資する。
【００５３】
さらに、本発明によれば、ユーザは、電子決済を行うために、通信端末を介して対象物外の設備にアクセスして対象物の利用権限を獲得する一方で、利用権限を獲得すると、対象物内の設備からチケットを受領するというように、利用権限を獲得するための原因行為と、利用権限を獲得した代償としてチケットを受領するという結果行為とが、同じ場所で同時に発生するのではなく、異なる場所で異なる時刻に発生する。
【００５４】
このように、原因行為と結果行為との間に同地性および同時性が成立しないと、別の者が本人になりすましてチケットを受領するという不正行為が発生する余地がある。
【００５５】
これに対し、本発明によれば、原因行為が発生した時点で、利用権限が存在することを表す認証コードであってユーザに固有のものが対象物外の設備からユーザ本人の通信端末のみに個別に送信される。
【００５６】
ユーザは、その認証コードを、秘密に管理しつつ、対象物内の設備に通信端末を介して入力する。
【００５７】
したがって、その認証コードがユーザの意に反して漏洩しない限り、別の者が本人になりすましてチケットを受領するという不正行為が発生する余地がなくなり、その結果、当該システムの信頼性が向上する。
【図面の簡単な説明】
【００５８】
【図１】図１は、本発明の例示的な一実施形態に従う駐車場管理システムのハードウエア構成を、その駐車場管理システムによって集中的に管理される複数の駐車場のうちの一つと共に例示的に示す図である。
【図２】図２は、図１に示す券売機の例示的なハードウエア構成を表すブロック図である。
【図３】図３は、図１に示す携帯端末を概念的に表す機能ブロック図である。
【図４】図４は、図１に示す管理サーバを概念的に表す機能ブロック図である。
【図５】図５は、図１に示す駐車場管理システムによって実行される駐車場管理方法、特に、発券シーケンスの一例を概念的に表す工程図である。
【図６】図６（ａ）は、図１に示す携帯端末の画面上にタイミングｔ１で表示される例示的な画像であり、また、同図（ｂ）は、前記携帯端末の画面上にタイミングｔ２で表示される例示的な画像である。
【図７】図７（ａ）は、図１に示す携帯端末の画面上にタイミングｔ３で表示される例示的な画像であり、また、同図（ｂ）は、前記携帯端末の画面上にタイミングｔ４で表示される例示的な画像であり、また、同図（ｃ）は、前記携帯端末の画面上にタイミングｔ５で表示される例示的な画像である。
【図８】図８（ａ）は、図１に示す券売機の画面上にタイミングｔ１１で表示される例示的な画像であり、また、同図（ｂ）は、前記券売機の画面上にタイミングｔ１２で表示される例示的な画像であり、同図（ｃ）は、前記券売機の発券ユニットによってタイミングｔ１３で発行される例示的なチケットを示す斜視図である。
【図９】図９は、ユーザによる駐車場の予約および電子決済による駐車料金の前払いを可能にするために携帯端末および管理サーバによってそれぞれ実行されるプログラムの一例を概念的に表すフローチャートである。
【図１０】図１０は、図９に示すそれぞれのプログラムの続きの一例と、ユーザによる電子決済を可能にするために決済サーバによって実行されるプログラムの一例とを概念的に表すフローチャートである。
【図１１】図１１は、チケット発券のために券売機および管理サーバによってそれぞれ実行されるプログラムの一例を概念的に表すフローチャートである。
【図１２】図１２は、図１に示す携帯端末が同図に示す管理サーバから受信した会員ＩＤを特定のタイミングで画面上に表示するために携帯端末によって実行されるプログラムの一例を概念的に表すフローチャートである。
【図１３】図１３は、図１に示す管理サーバのメモリに保存される管理リストの一例を概念的に表す図であり、その管理リストには、駐車に関連する複数の情報が互いに紐付けられた状態で保存される。
【発明を実施するための形態】
【００５９】
以下、本発明のさらに具体的な例示的な実施の形態のうちのいくつかを図面に基づいて詳細に説明する。
【００６０】
＜全体のハードウエア構成＞
【００６１】
まず、図１を参照するに、本発明の例示的な一実施形態に従う駐車場管理システム（以下、単に「システム」という。）１０は、複数の駐車場２０（図１には、それら駐車場２０のうちの代表的な駐車場２０のみが図示されている）を管理するためのシステムである。各駐車場２０は、複数台の車両２４が駐車可能な複数の車室２６を備えている。このシステム１０は、本発明の例示的な一実施形態に従う駐車場用発券システムの一例（発券システムの一例）を組み込んでいる。
【００６２】
具体的には、このシステム１０は、ユーザの携帯端末すなわち携帯通信端末（前記「通信端末」の一例）９０と、各駐車場２０に設置される券売機（前記「発券機」の一例）３０と、各駐車場２０にとっての遠隔地にある管理センタ４０によって運営・管理される管理サーバ５０とを有するように構成される。
【００６３】
券売機３０は、後に詳述するが、それ単独では電子決済には対応できないが非電子決済には対応できる決済機能と、発券機能と、通信機能とを有するように設計されている。これに対し、管理サーバ５０は、複数の駐車場２０、すなわち、それら駐車場２０にそれぞれ設置された複数の券売機３０を遠隔地において集中的に管理する。
【００６４】
ここに、「電子決済」は、現金およびプリペイド式ＩＣカードを用いないで行う決済をいい、例えば、クレジットカード決済、キャリア決済、電子マネー決済などが該当する。また、「非電子決済」は、例えば、現金決済、プリペイド式ＩＣカード決済（単に「カード決済」ともいう。）、ユーザごとに個別に会員ポイント・カードに電子的に記録された特典としてのポイントから代金を支払うポイント決済など）が該当する。
【００６５】
また、「電子決済」および「非電子決済」は、それぞれ、オンライン決済およびオフライン決済として分類することが可能であり、また、それぞれ、遠隔決済および現地決済として分類することも可能である。
【００６６】
このシステム１０は、概略的に説明すれば、複数の駐車場２０（複数の候補対象物）にとっての遠隔地においてユーザがそれら駐車場２０のうちのいずれかを標的駐車場２０としてオンラインで選択するとその標的駐車場２０がある現場においてユーザに対してチケット（駐車券、利用権限証など）３４（図８（ｃ）参照）をオフラインで発行するように構成される。
【００６７】
具体的には、このシステム１０は、ユーザが、携帯端末９０上で複数の駐車場２０のうちのいずれかを標的駐車場２０として選択し、かつ、その標的駐車場２０の利用権限を獲得するために必要な行為（例えば、駐車料金の電子決済）を、携帯端末９０を介し、管理サーバ５０に対して行うと、その管理サーバ５０が、ユーザが前記利用権限を有することを表す認証コード（例えば、後述の例においては、「会員ＩＤ」）であってユーザに固有のものを、携帯端末９０と、標的駐車場２０に設置されている標的券売機３０とにそれぞれ送信するように構成されている。
【００６８】
ここで、「認証コード」は、本実施形態においては、券売機３０を介することなく、管理サーバ５０を介して決済サーバ６０を用いて電子決済を行う資格を獲得するために加入されるクラブの会員の識別情報としての会員ＩＤである。
【００６９】
具体的には、会員ＩＤは、本実施形態においては、一度使用されると失効するワンタイムパスワードとして構成されるが、これに代えて、例えば、発行時刻から所定時間が経過すると失効する時限パスワードとして構成してもよい。後者によれば、前者より、会員ＩＤがユーザ以外の他人に露出可能な時間が短縮されるなどの理由で、会員ＩＤのセキュリティが向上する。
【００７０】
さらに、会員ＩＤは、本実施形態においては、券売機３０が有するかもしれないイメージ・リーダーを用いなくても解読できる数字列、英字列もしくは英数字列として構成されるが、これに代えて、例えば、前記イメージ・リーダーを用いないと解読できない１次元バーコードもしくは２次元バーコードとして構成してもよい。後者によれば、前者より、会員ＩＤがユーザ以外の他人に露出してもその会員ＩＤが漏洩しないなどの理由で、会員ＩＤのセキュリティが向上する。
【００７１】
このシステム１０においては、標的券売機３０が、ユーザから入力された認証コードと、管理サーバ５０から受信した認証コードとが互いに一致することを条件に、物理的なチケット３４をユーザにオフラインで（例えば、携帯端末９０の如き通信機器を使用せずに）発行するように構成されている。
【００７２】
＜券売機のハードウエア構成＞
【００７３】
図２には、図１に示す券売機３０の例示的なハードウエア構成がブロック図で表されている。図示するように、券売機３０は、プロセッサ６２およびメモリ６３を有するコンピュータ６４を有する。
【００７４】
この券売機３０は、さらに、入力デバイス６６（例えば、タッチパネル、仮想的または物理的なキーパッド、音声入力デバイスなど）と、管理サーバ５０との間で遠距離無線通信を行う通信機能を有する通信デバイス６８と、必要な情報を可視化して表示する表示デバイス７０（例えば、タッチパネル、液晶ディスプレイ、有機ディスプレイなど）と、発券ユニット７２とを有する。
【００７５】
通信デバイス６８は、さらに、携帯端末９０との間で近距離無線通信を行う通信機能も有してもよい。
【００７６】
図７に示す例においては、入力デバイス６６および表示デバイス７０が、タッチパネル８０として具現化されている。タッチパネル８０は、表示面と、感圧型または静電型の操作面とを有する。
【００７７】
図７に示す例においては、発券ユニット７２が、回転可能なロール（図示しない）に巻き付けられた連続シートがそのロールから巻き剥がされながらプリンタ７４に供給されるように構成される。そのプリンタ７４により、必要な情報が前記連続シートに印刷され、その連続シートのうちの先端部がカッタ（図示しない）により、必要長さにカットされて券売機３０から、図７（ｃ）に例示するように、排紙される。
【００７８】
＜携帯端末のハードウエア構成＞
【００７９】
ユーザの携帯端末９０は、ユーザによって携帯されるとともに無線通信機能を有するデバイス、例えば、携帯電話機、スマートフォン、ラップトップ型コンピュータ、タブレット型コンピュータ、ＰＤＡなどである。また、携帯端末９０は、ユーザの通信端末の一例であり、その通信端末は、ユーザによって携帯されないもの、例えば、車載通信端末でもよい。
【００８０】
次に、図３を参照して携帯端末９０のハードウエア構成を説明するに、携帯端末９０は、プロセッサ１３０およびそのプロセッサ１３０によって実行される複数のプログラム（「アプリケーション」ともいう）を記憶するメモリ１３２を有するコンピュータ１３４を主体として構成されている。
【００８１】
この携帯端末９０は、さらに、情報を表示する表示部（例えば、液晶ディスプレイ）１３６と、管理サーバ５０からの信号を受信する受信部１３８と、信号を生成してその信号を管理サーバ５０に送信する送信部１４０とを有する。
【００８２】
この携帯端末９０は、さらに、ユーザからデータやコマンドを入力するための入力部１５０を有する。その入力部１５０は、例えば、所望の情報（例えば、コマンド、データなど）を携帯端末９０に入力するためにユーザによって操作可能な操作部を有する。その操作部としては、ユーザによって操作可能なアイコン（例えば、仮想的なボタン）を表示するタッチスクリーン、ユーザによって操作可能な物理的な操作部（例えば、キーボード、キーパッド、ボタンなど）、音声を感知するマイクなどがあるが、これらに限定されない。
【００８３】
この携帯端末９０は、さらに、ＧＰＳ（衛星測位システム）受信機１５２を有する。ＧＰＳ受信機１５２は、よく知られているように、複数のＧＰＳ衛星から複数のＧＰＳ信号を受信し、それらＧＰＳ信号に基づき、ＧＰＳ受信機１５２の地球上における位置（緯度、経度および高度）を三角測量によって測定する。このように、携帯端末９０は、自身の現在位置を測定する測位部を有する。
【００８４】
その測位部は、他の形式で実施することも可能であり、例えば、携帯端末９０が通信中に経由する複数の基地局（図示しない）のそれぞれの空間座標値に基づき、携帯端末９０の地上における位置を三角測量によって測定する形式で実施してもよい。
【００８５】
さらに、その測位部は、標的駐車場２０に設置された発信機（図２に示す通信デバイス６８内に組み込まれてもよい）であって固有の発信機ＩＤを表す信号を発信するものを用いて、発信機ＩＤと空間座標値との間に予め定められた関係であって携帯端末９０のメモリ１３２に記憶されているものに従って携帯端末９０の現在位置を測定してもよい。
【００８６】
この携帯端末９０は、さらに、自身の加速度を検出する加速度センサ１５４を内蔵している。その加速度センサ１５４は、携帯端末９０に搭載されているため、携帯端末９０と一体的に振動し、その結果、加速度センサ１５４自体に作用する加速度を、携帯端末９０およびそれを携帯しているユーザに作用する加速度と等価なものとして検出する。
【００８７】
この加速度センサ１５４の型式は、例えば、半導体ピエゾ抵抗型、静電容量型、熱検知型などである。一例においては、この加速度センサ１５４が、Ｘ軸、Ｙ軸およびＺ軸という３軸方向の加速度Ｇｘ，Ｇｙ，Ｇｚを個々に検出し、それら３つの検出値Ｇｘ，Ｇｙ，Ｇｚの合成値Ｇｒとして１つの代表加速度を出力するように設計することが可能である。
【００８８】
＜管理サーバのハードウエア構成＞
【００８９】
次に、図４を参照して管理サーバ５０のハードウエア構成を説明するに、管理サーバ５０は、プロセッサ１６０およびそのプロセッサ１６０によって実行される複数のアプリケーションを記憶するメモリ１６２を有するコンピュータ１６４を主体として構成されている。
【００９０】
この管理サーバ５０は、さらに、情報を表示する表示部（例えば、液晶ディスプレイ）１６６と、券売機３０の通信デバイス６８および携帯端末９０からの信号を受信する受信部１６８と、信号を生成してその信号を券売機３０の通信デバイス６８および携帯端末９０に送信する送信部１７０と、時計１７２とを有する。
【００９１】
＜発券シーケンス＞
【００９２】
図５には、システム１０によって実行される駐車場管理方法、特に、発券シーケンスの一例が概念的に工程図で表されている。
【００９３】
この工程図は、複数のフェーズが時系列的に並んでいる。まず、予約フェーズにおいて、第１工程においては、タイミングｔ１で、図６（ａ）に例示するように、ユーザの現在位置の周辺にある複数の駐車場２０が複数の候補駐車場２０（Ｐ１，Ｐ２，Ｐ３）として携帯端末９０の画面９２上に表示され、これにより、ユーザが複数の候補駐車場２０に仮想的に案内される。その表示のために必要なデータは、例えば、管理サーバ５０から携帯端末９０にダウンロードされる。
【００９４】
この予約フェーズは、ユーザが標的駐車場２０に到着する前に、地図上の任意の位置で実行される。もちろん、ユーザが標的駐車場２０に到着した後に、その場所で予約フェーズを実行してもよい。
【００９５】
同じ予約フェーズにおいて、第２工程においては、ユーザが画面９２上で、複数の候補駐車場２０のうちのいずれかを標的駐車場２０として選択する。図６（ａ）に示す例においては、駐車場Ｐ１が標的駐車場２０として選択された。
【００９６】
次に、決済フェーズにおいて、第１工程においては、タイミングｔ２で、図６（ｂ）に例示するように、画面９２上に複数の候補駐車条件が表示される。本実施形態においては、駐車条件が券種、すなわち、チケット３４である駐車券の種類として定義されている。例えば、ユーザは、券種Ａを購入すると、３００円の駐車料金で、その金額に見合う長さの時間、標的駐車場２０に駐車することを許可される。前記複数の候補駐車条件の表示のために必要なデータは、例えば、管理サーバ５０から携帯端末９０にダウンロードされる。
【００９７】
同じ決済フェーズにおいて、第２工程においては、タイミングｔ３で、図７（ａ）に例示するように、画面９２上に会員決済という区分と、現金決済という区分とが表示される。
【００９８】
ユーザが会員決済を選択すると、ユーザが、会員として登録され、その特典として、券売機３０が電子決済に対応できないにもかかわらず、ユーザは携帯端末９０を介し、オンラインで電子決済によって駐車料金を前払いすることが可能となる。会員決済が選択されると、複数の候補電子決済条件が表示される。複数の候補電子決済条件の表示のために必要なデータは、例えば、管理サーバ５０から携帯端末９０にダウンロードされる。
【００９９】
これに対し、ユーザが現金決済を選択すると、ユーザが標的駐車場２０において券売機３０に現金を投入して決済するか、ＩＣカードを券売機３０のスロット内に挿入して決済するか、ユーザに付与されているポイント・カードを用いて決済することが可能となる。
【０１００】
図７（ａ）に示す例においては、ユーザによって会員決済が選択され、さらに、電子決済Ｘが選択された。
【０１０１】
同じ決済フェーズにおいて、第３工程においては、タイミングｔ４で、図７（ｂ）に例示するように、選択された券種に対応する駐車料金が、選択された電子決済方法を用いて電子決済される。具体的には、携帯端末９０から管理サーバ５０に電子決済リクエストが送信され、それを受けて管理サーバ５０が決済サーバ６０に電子決済を指示する。
【０１０２】
同じ決済フェーズにおいて、第４工程においては、タイミングｔ５で、図７（ｃ）に例示するように、駐車料金の決済が完了した代償として、標的駐車場２０を利用する権限がユーザに付与されたことを表す認証コードとしての会員ＩＤが管理サーバ５０によって設定される。
【０１０３】
管理サーバ５０は、その会員ＩＤをユーザの携帯端末９０に送信し、その会員ＩＤが、図７（ｃ）に例示するように、画面９２上に表示され、その結果、ユーザは、自分の会員ＩＤを知得し、入手することになる。
【０１０４】
やがてユーザは車両２４を運転して標的駐車場２０に入庫させ、このとき、利用フェーズが開始される。
【０１０５】
この利用フェーズにおいては、車両２４が標的駐車場２０に入庫する入庫ステージと、車両２４が標的駐車場２０から出庫する出庫ステージとが順に実行される。
【０１０６】
まず、入庫ステージにおいて、第１工程においては、タイミングｔ１１で、図８（ａ）に例示するように、券売機３０のタッチパネル８０上に複数の候補決済方法が表示される。それら候補決済方法は、現金決済と、ＩＣカードを用いたＩＣカード決済と、ポイントを用いたポイント決済と、前述の会員決済とを有する。
【０１０７】
ユーザが、上述の決済フェーズにおいて、会員決済（電子決済）ではなく、現金決済を選択した場合には、券売機３０において、現金決済と、ＩＣカードを用いたＩＣカード決済と、ポイントを用いたポイント決済とのうちのいずれかを選択することになり、この場合には、その選択した決済を券売機３０を介して実行する。
【０１０８】
これに対し、ユーザが、上述の決済フェーズにおいて、図７（ａ）に示すように、会員決済（電子決済）を選択した場合には、券売機３０において、会員決済を選択することになる。
【０１０９】
同じ入庫ステージにおいては、会員決済が選択されると、第２工程に移行する。
【０１１０】
この第２工程においては、タイミングｔ１２で、図８（ｂ）に例示するように、券売機３０のタッチパネル８０上に仮想的なテンキーが表示される。ユーザは、そのテンキーを操作することにより、携帯端末９０が管理サーバ５０から受信した会員ＩＤを券売機３０に入力する。
【０１１１】
この第２工程に後続して第３工程が実行される。この第３工程においては、券売機３０に入力された会員ＩＤと、管理サーバ５０に登録されている会員ＩＤとの間の照合に成功するか否かが判定される。ユーザについて認証が行われるのである。
【０１１２】
この認証は、会員ＩＤがユーザまたはユーザＩＤと１対１に対応するという相関関係に着目すると、個人認証と考えることが可能である。これに対し、この認証は、会員ＩＤがユーザの車両２４と１対１に対応するという相関関係に着目すると、車両認証と考えることが可能であり、さらに、会員ＩＤが標的駐車場２０という不動産（土地への定着物）またはその標的駐車場２０が設置されている地図上位置と１対１に対応するという相関関係に着目すると、駐車場認証または場所認証と考えることも可能である。
【０１１３】
一例においては、券売機３０が、管理サーバ５０と通信することにより、券売機３０に入力された会員ＩＤと同一のものが管理サーバ５０に登録されているか否かを判定する。
【０１１４】
この第３工程に後続して第４工程が実行される。この第４工程においては、券売機３０の発券ユニット７２が、ユーザに適合したチケット３４を作成して発行する。ユーザは、その発行されたチケット３４を携帯する。一例においては、そのチケット３４に、標的駐車場２０の名称、ユーザが選択した券種、駐車料金の額、チケット３４の発行日時（または入庫時刻）などの駐車関連情報が印刷される。
【０１１５】
＜システムのソフトウエア構成＞
【０１１６】
＜駐車場の予約および電子決済による駐車料金の前払い＞
【０１１７】
図９は、ユーザによる駐車場の予約および電子決済による駐車料金の前払い（前述の予約フェーズおよび決済フェーズにおいて実行される処理）を可能にするために携帯端末９０および管理サーバ５０によってそれぞれ実行されるプログラムの一例が概念的にフローチャートで表されている。
【０１１８】
駐車料金を任意の場所でオンラインで電子決済することを希望するユーザは、図９のプログラムの実行により、標的駐車場２０の予約（駐車を行う場所の予約と、チケット３４の券種に応じて決まる駐車時間帯の予約）と前払い駐車料金の電子決済とをいずれもオンラインで行うことになる。
【０１１９】
これに対し、駐車料金を標的駐車場２０の位置においてオフラインで非電子決済することを希望するユーザは、図９のプログラムの実行により、標的駐車場２０の予約はオンラインで行われるが、前払い駐車料金の非電子決済はオフラインで行うことになる。
【０１２０】
携帯端末９０は、まず、ステップＳ９０１において、ユーザが管理サーバ５０に対するログイン・リクエストを指令し、次に、ステップＳ９０２において、そのログイン・リクエストを、ユーザのユーザＩＤに関連付けて管理サーバ５０に送信する。
【０１２１】
これに対し、管理サーバ５０は、ステップＳ９３１において、前記ログイン・リクエストを受信し、次に、ステップＳ９３２において、携帯端末９０との間での接続（通信）を確立する。
【０１２２】
これに対し、携帯端末９０は、ステップＳ９０３において、前記ＧＰＳを用いることにより、自身の現在位置を測定する。続いて、ステップＳ９０４において、その測定された現在位置をユーザＩＤに関連付けて管理サーバ５０に送信する。
【０１２３】
これに対し、管理サーバ５０は、ステップＳ９３３において、それら現在位置およびユーザＩＤを携帯端末９０から受信する。続いて、ステップＳ９３４において、メモリ１６２を検索することにより、管理サーバ５０によって管理される複数の駐車場２０のうち、受信した現在位置の近傍（現在位置を中心として半径が所定距離である範囲内）にあるものを複数の候補駐車場２０として選択する。
【０１２４】
その後、管理サーバ５０は、ステップＳ９３５において、それら選択された複数の駐車場２０のそれぞれの空間座標値を表す駐車場データと、現在位置の近傍の地図を表す地図データとを携帯端末９０に送信する。
【０１２５】
これに対し、携帯端末９０は、ステップＳ９０５において、管理サーバ５０から駐車場データと地図データとを受信する。続いて、ステップＳ９０６において、その地図データに基づき、図６（ａ）に例示するように、画面９２上に周辺地図を表示し、さらに、駐車場データによって位置が特定される複数の候補駐車場２０のそれぞれの位置を示す複数のマーカー（例えば、Ｐ１，Ｐ２，Ｐ３の各記号がそれぞれ枠に囲まれて成る複数の図形）を前記周辺地図上にオーバーレイ表示する。
【０１２６】
その後、携帯端末９０は、ステップＳ９０７において、画面９２上をユーザが指でタップした位置に従い、複数の候補駐車場２０のうちのいずれかを標的駐車場２０として選択する。続いて、携帯端末９０は、ステップＳ９０８において、標的駐車場２０を特定する情報（例えば、駐車場ＩＤ）をユーザＩＤに関連付けて管理サーバ５０に送信する。このとき、ユーザは、携帯端末９０を介してオンラインで管理サーバ５０に対して標的駐車場２０を予約することになる。
【０１２７】
これに対し、管理サーバ５０は、ステップＳ９３６において、携帯端末９０から標的駐車場２０を特定する情報とユーザＩＤとを受信する。続いて、ステップＳ９３７において、図１３に例示するように、標的駐車場２０（駐車場ＩＤ）をユーザＩＤに関連付けてメモリ１６２の管理リストに保存する。
【０１２８】
図１３には、管理サーバ５０のメモリ１６２に保存される管理リストの一例が概念的に表されている。その管理リストには、駐車に関連する複数の情報が互いに紐付けられた状態で保存される。例えば、この管理リストにおいては、各ユーザごとに、駐車に関連する複数の情報が互いに紐付けられた状態で保存される。
【０１２９】
管理サーバ５０は、その後、ステップＳ９３８において、メモリ１６２を検索することにより、標的駐車場２０に予め割り当てられている複数の券種（券種が選択されると、前払い駐車料金および有効駐車時間が決まる）を表すデータを料金関連情報として読み出す。さらに、標的駐車場２０の名称を表す名称情報と、その標的駐車場２０の所在地を表す位置情報と、標的駐車場２０の概略的な外観を表す画像情報とをメモリ１６２から読み出す。その後、ステップＳ９３９において、それら情報の集まりを駐車関連情報として携帯端末９０に送信する。
【０１３０】
これに対し、携帯端末９０は、ステップＳ９０９において、その駐車関連情報を管理サーバ５０から受信する。続いて、ステップＳ９１０において、その駐車関連情報に基づき、図６（ｂ）に例示するように、標的駐車場２０の名称と、その標的駐車場２０の所在地と、標的駐車場２０の概略的な外観を表す画像と、ユーザが選択可能な複数の券種（例えば、券種Ａ，券種Ｂ，券種Ｃ）とを画面９２上に表示する。
【０１３１】
続いて、携帯端末９０は、ステップＳ９１１において、ユーザからの指令に応じ、いずれかの券種を選択する。図６（ｂ）に示す例においては、券種Ａが選択された。続いて、ステップＳ９１２において、選択された券種を特定するデータをユーザＩＤに関連付けて管理サーバ５０に送信する。このとき、ユーザは、携帯端末９０を介してオンラインで管理サーバ５０に対して駐車時間帯を予約することになる。
【０１３２】
これに対し、管理サーバ５０は、ステップＳ９４０において、選択された券種を特定するデータをユーザＩＤに関連付けて携帯端末９０から受信する。続いて、ステップＳ９４１において、券種と駐車料金との間に予め定められた関係であってメモリ１６２に予め記憶されているものに従い、選択された券種に対応する駐車料金の額を決定する。この処理に注目することにより、管理サーバ５０が駐車料金を計算する料金計算機能を有すると解釈することが可能である。
【０１３３】
その後、管理サーバ５０は、ステップＳ９４２において、標的駐車場２０における複数の車室２６のうち空車状態にあるもののうちのいずれかをユーザ用の車室２６として選択する。続いて、ステップＳ９４３において、図１３に例示するように、選択された券種と、決定された駐車料金とを、選択された車室２６とをユーザＩＤに関連付けて管理リストに保存する。
【０１３４】
図１０には、図９に示すそれぞれのプログラムの続きの一例と、ユーザによる電子決済を可能にするために決済サーバ６０によって実行されるプログラムの一例とが概念的にフローチャートで表されている。
【０１３５】
まず、管理サーバ５０は、ステップＳ１０３１において、駐車場２０と、ユーザが利用可能な電子決済の方法との間に予め定められた関係であってメモリ１６２に予め記憶されているものに従い、標的駐車場２０に対応する複数の電子決済方法を決定する。
【０１３６】
続いて、管理サーバ５０は、ステップＳ１０３２において、前記選択された車室２６を特定するデータ（車室番号）と、前記決定された複数の電子決済方法を特定するデータとを携帯端末９０に送信する。
【０１３７】
これに対し、携帯端末９０は、ステップＳ１００１において、管理サーバ５０から車室２６と複数の電子決済方法とを受信する。続いて、ステップＳ１００２において、図７（ａ）に例示するように、車室２６の番号と、決済方法についての２つの選択肢としての会員決済および現金決済（前述のように、ＩＣカード決済およびポイント決済をも含む用語、すなわち、非電子決済を意味する用語）と、会員決済を選択した場合に利用可能な複数の電子決済方法とを画面９２上に表示する。
【０１３８】
その後、携帯端末９０は、ステップＳ１００３において、ユーザからの指令に従い、いずれかの決済方法を選択する。図７（ａ）に示す例においては、会員決済が選択された。続いて、ステップＳ１００４において、ユーザが会員決済を選択したか否かを判定する。
【０１３９】
会員決済を選択した場合には、ステップＳ１００４の判定がＹＥＳとなり、ステップＳ１００５において、ユーザからの指令に従い、いずれかの電子決済方法を選択する。図７（ａ）に示す例においては、電子決済方法Ｘが選択された。
【０１４０】
続いて、携帯端末９０は、ステップＳ１００６においては、ユーザが、電子決済方法Ｘでの電子決済を決済サーバ６０が実行するために必要な電子決済必要情報、例えば、ユーザの個人の銀行口座情報を入力すれば、それを受け付ける。その後、ステップＳ１００７において、会員決済が選択されたことと、選択された電子決済方法と、ユーザから入力された電子決済必要情報とをユーザＩＤに関連付けて管理サーバ５０に送信する。このとき、ユーザは、携帯端末９０を介してオンラインで管理サーバ５０に対して駐車料金の電子決済をリクエストすることになる。
【０１４１】
これに対し、ユーザが会員決済ではなく現金決済（非電子決済）を選択した場合には、ステップＳ１００４の判定がＮＯとなり、ステップＳ１００５−Ｓ１０１１の実行がスキップされてステップＳ１０１２に移行し、そこで、携帯端末９０の一回の処理が終了する。
【０１４２】
これに対し、管理サーバ５０は、ステップＳ１０３３において、携帯端末９０から、会員決済が選択されたことと、選択された電子決済方法と、ユーザから入力された電子決済必要情報とをユーザＩＤに関連付けて受信する。続いて、ステップＳ１０３４において、ユーザにつき、電子決済リクエストを、必要な情報（例えば、前述の銀行口座情報、金額情報など）と共に決済サーバ６０に送信する。
【０１４３】
これに対し、決済サーバ６０は、ステップＳ１０５１において、管理サーバ５０から電子決済に必要な情報を受信し、続いて、ステップＳ１０５２において、電子決済を実行する。その電子決済が完了すると、ステップＳ１０５３において、電子決済が完了したことを表す決済完了信号を管理サーバ５０に送信する。
【０１４４】
これに対し、管理サーバ５０は、ステップＳ１０３５において、その決済完了信号を決済サーバ６０から受信し、続いて、ステップＳ１０３６において、ユーザが標的駐車場２０を正当に利用できる権限を獲得したことを表す認証コードとして会員ＩＤをユーザに固有のものとして発行する。
【０１４５】
管理サーバ５０は、その会員ＩＤをワンタイムパスワードまたは時限パスワードとして構成し、それにより、同じ会員ＩＤが同じユーザによって再度、不当に使用されたり、別のユーザによって不当に使用されるという不正行為を防止することができる。
【０１４６】
会員ＩＤがワンタイムパスワードである場合には、管理サーバ５０は、券売機３０から受信した信号に基づき、その会員ＩＤがユーザによって使用されたか否かを判定し、使用済であると、その会員ＩＤをメモリ１６２の管理リストから消去する。
【０１４７】
これに対し、会員ＩＤが時限パスワードである場合には、管理サーバ５０は、その会員ＩＤの発行時刻から所定時間が経過したか否かを判定し、経過すると、その会員ＩＤをメモリ１６２の管理リストから消去する。
【０１４８】
さらに、管理サーバ５０は、図１３に例示するように、その会員ＩＤをユーザＩＤに関連付けてメモリ１６２の管理リストに保存し、さらに、その会員ＩＤを携帯端末９０に送信する。
【０１４９】
これに対し、携帯端末９０は、ステップＳ１００８において、管理サーバ５０から会員ＩＤを受信し、続いて、ステップＳ１００９において、その会員ＩＤをメモリ１３２に保存する。
【０１５０】
その後、携帯端末９０は、ステップＳ１０１０において、図７（ｂ）に例示するように、電子決済が完了したことを表すメッセージを、決済金額および券種と共に、画面９２上に表示する。続いて、ステップＳ１０１１において、図７（ｃ）に例示するように、管理サーバ５０から受信した会員ＩＤを画面９２上に表示する。その表示結果から、ユーザは、自分に付与された会員ＩＤを知ることができる。
【０１５１】
その後、携帯端末９０は、ステップＳ１０１２に移行し、一回の処理を終了する。
【０１５２】
これに対し、管理サーバ５０は、ステップＳ１０３６の実行後、ステップＳ１０３７において、時計１６６を用いて現在時刻を計測し、その時刻を、ユーザが標的駐車場２０に入庫した時刻（例えば、ユーザが決済した駐車料金の額に見合う長さの有効駐車時間の開始時刻）として用いる。続いて、ステップＳ１０３８において、図１３に例示するように、その入庫時刻をユーザＩＤに関連付けてメモリ１６２の管理リストに保存する。
【０１５３】
＜真正な会員ＩＤの入力と引き換えに行われる発券処理＞
【０１５４】
図１１には、チケット３４の発券（前述の利用フェーズのうちの入庫ステージにおいて実行される処理）のために券売機３０および管理サーバ５０によってそれぞれ実行されるプログラムの一例が概念的にフローチャートで表されている。
【０１５５】
ところで、券売機３０は、管理サーバ５０から過去にダウンロードされたメモリ６３（図２参照）に保存される会員ＩＤの内容を適宜、最新のものに更新するために、管理サーバ５０に適宜アクセスし、図１３に例示する管理リストに登録されている現に有効な複数の会員ＩＤを管理サーバ５０からダウンロードする。
【０１５６】
そのダウンロードのための管理サーバ５０へのアクセスのタイミングは、図１１に示す例においては、新たな会員ＩＤがユーザから入力されたか否かを問わず、所定の時間的条件が成立する（例えば、１分ごとに、５分ごとに）と、自動的に管理サーバ５０にアクセスするというものである。
【０１５７】
このダウンロード手法によれば、券売機３０は、新たな会員ＩＤの入力を待つことなく、会員ＩＤの最新状態を知ることができる。ここに、管理サーバ５０における会員ＩＤの変化（例えば、会員ＩＤ数の変化）は、最新の会員ＩＤが券売機３０に入力される前に出現するから、券売機３０は、例えば、管理サーバ５０のダウンロード結果から最新の会員ＩＤ数を把握し、それを用いて、標的駐車場２０の稼働率（満空状態）の将来の変化を予想することが可能となる。
【０１５８】
これに対し、前記ダウンロードのための管理サーバ５０へのアクセスのタイミングは、新たな会員ＩＤがユーザから券売機３０に入力されると、そのタイミングで、券売機３０が管理サーバ５０にアクセスするというものであってもよい。
【０１５９】
まず、券売機３０が、ステップＳ１１０１において、ダウンロード・リクエストを、標的駐車場３０の駐車場ＩＤに関連付けて管理サーバ５０に送信する。
【０１６０】
これに対し、管理サーバ５０は、ステップＳ１１３１において、そのダウンロード・リクエストを受信し、メモリ１６２において、標的駐車場３０に関連付けて保存されている複数の会員ＩＤ（現時点で有効な複数の会員ＩＤ）を検索し、続いて、ステップＳ１１３３において、それら会員ＩＤを券売機３０に送信する。
【０１６１】
これに対し、券売機３０は、ステップＳ１１０２において、それら会員ＩＤを管理サーバ５０からダウンロードし、続いて、ステップＳ１１０３において、それら会員ＩＤをメモリ６３に保存し、それにより、メモリ６３の内容を会員ＩＤに関して更新する。
【０１６２】
その後、券売機３０は、ステップＳ１１０４において、図８（ａ）に例示するように、複数の決済方法をタッチパネル８０上に表示する。図示の例においては、それら決済方法として、現金決済、ＩＣカード決済、ポイント決済および会員決済（電子決済）がある。
【０１６３】
続いて、券売機３０は、ステップＳ１１０５において、ユーザからの指令に従い、表示されている複数の決済方法のうちのいずれかを選択する。その後、ステップＳ１１０６において、ユーザが会員決済という決済方法を選択したか否かを判定する。
【０１６４】
会員決済が選択されなかった場合には、ステップＳ１１０６の判定がＮＯとなり、ステップＳ１１０７−Ｓ１１１１がスキップされてステップＳ１１１１２に移行し、そこで、券売機３０の一回の処理が終了する。
【０１６５】
これに対し、会員決済が選択された場合には、ステップＳ１１０６の判定がＹＥＳとなり、券売機３０は、ステップＳ１１０７において、図８（ｂ）に例示するように、テンキーをタッチパネル８０上に表示する。
【０１６６】
続いて、券売機３０は、ステップＳ１１０８において、ユーザが、前記テンキーを操作すると、その数字列を会員ＩＤとして受け付ける。図示の例においては、会員ＩＤが、イメージ・リーダーを用いなくても解読できる数字列として構成されているが、これに代えて、前記テンキーをそれよりキー数が多いキーパッドに交換することを条件に、英字列として構成しても英数字列として構成してもよい。
【０１６７】
また、会員ＩＤを、イメージ・リーダーを用いないと解読できない１次元バーコードもしくは２次元バーコードとして構成してもよい。その場合には、券売機３０がイメージ・リーダーを搭載することが重要であるかもしれない。
【０１６８】
その後、券売機３０は、ステップＳ１１０９において、ユーザによって入力された会員ＩＤと、メモリ６３に保存されている複数の会員ＩＤとの間の照合に成功するか否か、すなわち、それら会員ＩＤのうちのいずれかと一致するか否かを判定する。その照合に成功しないと、ステップＳ１１０８に戻り、ユーザに対し、会員ＩＤの再入力を催促するが、成功すれば、ステップＳ１１０９の判定がＹＥＳとなり、ステップＳ１１１０に移行する。
【０１６９】
券売機３０は、そのステップＳ１１１０において、図８（ｃ）に例示するように、発券ユニット７２を用いてチケット３４を印刷して発行する。続いて、ステップＳ１１１１において、発券が完了したことを表す発券完了信号を会員ＩＤまたはユーザＩＤに関連付けて管理サーバ５０に送信する。
【０１７０】
これに対し、管理サーバ５０は、ステップＳ１１３４において、発券完了信号と会員ＩＤまたはユーザＩＤとを券売機３０から受信し、続いて、ステップＳ１１３５において、図１３に例示する管理リストを、その会員ＩＤに対応するユーザに対してチケット３４が発行されたという事実を反映するように更新することが必要となるかもしれない。
【０１７１】
＜タイミング限定型会員ＩＤ表示＞
【０１７２】
画面９２上に表示される会員ＩＤは、本来、正当な本人のみに知られて券売機３０に入力されるというように、使用者限定の秘匿性の高い情報である。同じ会員ＩＤを別の者が盗んでそれを勝手に券売機３０に入力すると、その不正行為者は、駐車料金を支払うことなく、標的駐車場２０の利用権限を獲得してしまう。
【０１７３】
このような情報漏洩の可能性を軽減するためには、例えば、会員ＩＤが画面９２上に表示されるタイミングおよび／またはその表示が行われるときの携帯端末９０の位置を制限することが有効である。
【０１７４】
具体的には、例えば、携帯端末９０が標的駐車場２０に接近し、その標的駐車場２０から所定距離の範囲内にある場合に、会員ＩＤの画面９２上での表示を許可したり、携帯端末９０が標的駐車場２０に設置されている標的券売機３０に接近し、その標的券売機３０から所定距離の範囲内にある場合に、会員ＩＤの画面９２上での表示を許可することが有効である。
【０１７５】
図１２には、携帯端末９０が管理サーバ５０から受信した会員ＩＤを特定のタイミングで画面９２上に表示するために携帯端末９０によって実行されるプログラムの一例が概念的に表されている。
【０１７６】
携帯端末９０は、まず、ステップＳ１２０１において、前述の測位部を用いて現在位置を測定する。次に、ステップＳ１２０２において、その現在位置が、標的駐車場２０の代表地点から所定距離の範囲内にあるか否かを判定する。具体的には、標的駐車場２０の空間座標値であって前述のようにして管理サーバ５０からダウンロードされてメモリ１３２に保存されているものを、その標的駐車場２０の代表地点として用いる。
【０１７７】
現在位置が標的駐車場２０の近傍でなければ、ステップＳ１２０２の判定がＮＯとなり、ステップＳ１２０１に戻るが、近傍であれば、その判定がＹＥＳとなり、ステップＳ１２０３において、携帯端末９０はメモリ１３２から会員ＩＤを読み出す。
【０１７８】
続いて、ステップＳ１２０４において、その会員ＩＤを画面９２上に表示する。その結果、その会員ＩＤが管理サーバ５０から受信した時刻から、ステップＳ１２０２の判定がＹＥＳとなった時刻までの期間は、会員ＩＤが、他人にはもちろん、ユーザ本人にも告知されない。
【０１７９】
その後、携帯端末９０は、ステップＳ１２０５において、ユーザにより、画面９２上で確認ボタン（図示しない）がタップされたか否かを判定する。タップされていない場合には、ステップＳ１２０４に戻るが、タップされると、ユーザが会員ＩＤを見る必要性はもはや消滅したとして、画面９２からその会員ＩＤを消去する。
【０１８０】
以上説明した実施形態においては、会員ＩＤが携帯端末９０の画面９２上に表示されると、ユーザは、その会員ＩＤを読み取って券売機３０にタッチパネル８０を介して手入力する。
【０１８１】
これに代えて、券売機３０の通信デバイス６８が、携帯端末９０との距離が設定距離以内であることを条件に携帯端末９０との間で近距離無線通信を行う受信機であって、携帯端末９０が前記会員ＩＤを送信するとその会員ＩＤを近距離無線通信方式で受信するものを含む態様で本発明を実施してもよい。
【０１８２】
この態様であれば、会員ＩＤは、ユーザ本人はもとより、他人にも露出させられることはないため、その会員ＩＤが他人によって不正に利用される可能性が解消される。
【０１８３】
以上、対象物の利用権限をユーザが有することを条件に前記対象物の位置においてユーザにチケットを発行する技術の一例として、駐車場２０の利用権限をユーザが有することを条件に駐車場２０の位置においてユーザにチケット３４を発行する技術を説明したが、「対象物」として駐車場以外のものを選択して本発明を実施することが可能である。
【０１８４】
具体的には、「対象物」としては、例えば、公共交通機関（例えば、列車、バス、飛行機など）の停車場（例えば、駅、バス停、空港など）または公共交通機関内の各座席；観客収容施設；飲食店または飲食店内の各テーブル；図書館などの公共施設または各座席；宿泊施設（例えば、ホテルまたは各部屋、旅館または各部屋、民泊（住宅宿泊）のための居宅または各部屋）；ロッカー・ルーム、ロッカー・ルーム内の各ロッカーまたは各ロッカー内の各個室などがあるが、これらに限定されない。
【０１８５】
以上、本発明の例示的な実施の形態のいくつかを図面に基づいて詳細に説明したが、これらは例示であり、前記［発明の概要］の欄に記載の態様を始めとして、当業者の知識に基づいて種々の変形、改良を施した他の形態で本発明を実施することが可能である。
【要約】
【課題】対象物の利用権限をユーザが有することを条件に前記対象物の位置においてユーザにチケットを発行する技術において、チケットを受領する権限を有しない者にチケットが不正に発行されることを抑止する。
【解決手段】ユーザが、通信端末９０上で複数の対象物のうちのいずれかを標的対象物２０として選択し、かつ、その標的対象物２０につき、それの利用権限を獲得するために必要な行為を、通信端末９０を介し、管理サーバ４０に対してオンラインで行うと、その管理サーバ４０が、ユーザが前記利用権限を有することを表す認証コードを、通信端末９０と、標的対象物２０に設置されている標的発券機３０とにそれぞれ送信し、その標的発券機３０は、ユーザから入力された認証コードと、管理サーバ４０から送信された認証コードとが互いに一致することを条件に、チケットをユーザにオフラインで発行する。
【選択図】図１【図１】
0006817669.tif 000002
【図２】
0006817669.tif 000003
【図３】
0006817669.tif 000004
【図４】
0006817669.tif 000005
【図５】
0006817669.tif 000006
【図６】
0006817669.tif 000007
【図７】
0006817669.tif 000008
【図８】
0006817669.tif 000009
【図９】
0006817669.tif 000010
【図１０】
0006817669.tif 000011
【図１１】
0006817669.tif 000012
【図１２】
0006817669.tif 000013
【図１３】
0006817669.tif 000014